(57)【要約】【課題】単一の駆動源で、特別入賞装置に入賞した遊技球を複数の入球口へ振り分けることの出来る、新規な構造を備えたパチンコ機を提供すること。【解決手段】第一及び第二の収容凹所９４ａ，９４ｂを備えた回転部材６６と、阻止部１１２および切欠部１１４を備えた仕切部材６８とを、収容ケース６４内に同軸上で配設すると共に、駆動源７０の駆動力によって該回転部材６６および該仕切部材６８を同一の回転速度で互いに反対方向に駆動せしめる駆動力伝達手段７２を設け、該収容ケース６４に設けた第一の収容凹所用連通孔８２に対して該第一の収容凹所９４ａが連通せしめられる位置に到達した場合には、該切欠部１１４を該第一の収容凹所用連通孔８２と重ねて遊技球の入球を許容する一方、該第二の収容凹所９４ｂが連通せしめられる位置に到達した場合には、阻止部１１２を該第一の収容凹所用連通孔８２と重ねて遊技球の入球を困難とする振分手段６２を備えた。【選択図】図３
2008278986.tif 000002
【特許請求の範囲】
【請求項１】
遊技領域に設けられた始動入賞装置への遊技球の入賞に基づいて、遊技球の入賞が容易な状態及び困難な状態の何れかに変化させる可動部材を備えた特別可動入賞装置を備えると共に、該特別可動入賞装置に入賞した遊技球を、該特別可動入賞装置内に設けられた複数の入球口へ振り分ける振分手段を備えたパチンコ機において、
前記特別可動入賞装置に入賞した遊技球を収容する第一の収容凹所及び第二の収容凹所を周上に備えた回転部材を、収容ケースの収容領域内に上下方向に延びる中心軸回りで回転可能に配設すると共に、前記複数の入球口の少なくとも一つに連通する第一の収容凹所用連通孔を該収容ケースに形成する一方、周方向に延びる阻止部と切欠部が周上の所定位置に設けられた可動弁部材を、該回転部材と同軸上で回転可能に設けると共に、それら回転部材と可動弁部材に駆動力を及ぼす駆動源と、該駆動源の駆動力を該回転部材および該可動弁部材に伝達してこれら回転部材と可動弁部材を同一の回転速度で互いに反対方向に駆動せしめる駆動力伝達機構を設けることによって、該回転部材が回転せしめられて該第一の収容凹所が該第一の収容凹所用連通孔と連通せしめられる位置に到達した場合には、該可動弁部材の該切欠部を該第一の収容凹所用連通孔と重ね合わせて遊技球の該第一の収容凹所用連通孔への入球を許容する一方、該第二の収容凹所が該第一の収容凹所用連通孔と連通せしめられる位置に到達した場合には、該可動弁部材の該阻止部を該第一の収容凹所用連通孔と重ね合わせて該第一の収容凹所用連通孔の開口寸法を小さくして遊技球の該第一の収容凹所用連通孔への入球を困難にすることによって、前記振分手段を構成したことを特徴とするパチンコ機。
【発明の詳細な説明】
【技術分野】
【０００１】
本発明は、遊技球の入賞が容易な状態と入賞が困難な状態とに変化せしめられる特別可動入賞装置を備えたパチンコ機に係り、特に、特別可動入賞装置に設けられた複数の入球口に遊技球を振り分ける振分手段を備えたパチンコ機に関するものである。
【背景技術】
【０００２】
従来から、遊技領域に設けられた始動入賞装置への遊技球の入賞に基づいて特別可動入賞装置が入賞容易な状態とされて、特別可動入賞装置に設けられた特定の入球口に遊技球が入ると、遊技者に有利な特典遊技を開始するパチンコ機が知られている。
【０００３】
このようなパチンコ機においては、特定の入球口に遊技球が入ることが特典遊技を開始する条件とされていることから、遊技者は、特別可動入賞装置に入賞した遊技球が、特定の入球口に入るか否かについて、大きな関心を持っている。
【０００４】
そこで近年では、かかる遊技者の関心を巧く利用して遊技への興趣を高めるために、特別可動入賞装置内に、特定の入球口を含む複数の入球口へ遊技球を振り分ける振分手段を設けて、振分手段によって遊技球を特定の入球口とそれ以外の入球口へ振り分ける演出を行なうパチンコ機が多い。
【０００５】
そのような振分手段として、例えば、遊技球を収容する複数の収容凹所を備えた回転部材によって、収容凹所に収容された遊技球を、特定の入球口に連通せしめられた当たり連通孔と、特定の入球口に連通せしめられていないはずれ連通孔の何れか一つに振り分ける振分手段が設けられたものがある。そして、当たり連通孔とはずれ連通孔の何れか一方に遊技球を入球可能とするために、例えば特許文献１には、一方の連通孔を、駆動源によって開閉せしめられる開閉部材を用いて開閉せしめることによって、かかる連通孔が閉状態とされた場合には遊技球の入球を阻止することによって、遊技球の振り分けを行なうパチンコ機が提案されている。
【０００６】
ところが、特許文献１に記載の如き開閉部材を設けた構造では、開閉部材を駆動せしめる駆動源として、回転部材を回転せしめる回転部材用の駆動源とは別に開閉部材用の駆動源を設けていることから、配設スペース効率の低下や、部材重量の増加を招く。更に、回転部材用の駆動源と開閉部材用の駆動源との同期を取る必要が生じて、それら駆動源の作動制御が複雑なものとなる。また、例えば開閉部材を駆動せしめる駆動源が故障して、開閉部材を備えた連通孔が常に開状態とされてしまうと、収容凹所に収容された遊技球の全てがかかる連通孔に入球せしめられるおそれも有していた。
【０００７】
【特許文献１】特開２００６−３４６９４号公報
【発明の開示】
【発明が解決しようとする課題】
【０００８】
ここにおいて、本発明は上述の如き事情を背景として為されたものであって、その解決課題とするところは、単一の駆動源で、特別入賞装置に入賞した遊技球を複数の入球口へ振り分けることの出来る、新規な構造を備えたパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１０】
すなわち、本発明は、特別可動入賞装置に入賞した遊技球を複数の入球口に振り分ける振分手段を備えたパチンコ機において、特別可動入賞装置に入賞した遊技球を収容する第一の収容凹所及び第二の収容凹所を備えた回転部材を収容ケース内に回転可能に配設すると共に、阻止部と切欠部が周上の所定位置に設けられた可動弁部材を該回転部材と同軸上で回転可能に配設する一方、駆動源によってそれら回転部材と可動弁部材を同一の回転速度で反対方向に駆動せしめる駆動力伝達機構を設けることによって、該回転部材が回転せしめられて、該収容ケースに形成されて該複数の入球口の少なくとも一つに連通する第一の収容凹所用連通孔と該第一の収容凹所とが連通せしめられる位置に到達した場合には、該可動弁部材の該切欠部を該第一の収容凹所用連通孔と重ね合わせて遊技球の該第一の収容凹所用連通孔への入球を許容する一方、該第二の収容凹所が該第一の収容凹所用連通孔と連通せしめられる位置に到達した場合には、該可動弁部材の該阻止部を該第一の収容凹所用連通孔と重ね合わせて該第一の収容凹所用連通孔の開口寸法を小さくして遊技球の該第一の収容凹所用連通孔への入球を困難にすることによって、該振分手段を構成したことを、特徴とする。
【００１１】
本発明に従う構造とされたパチンコ機においては、遊技球を収容する回転部材と、第一の収容凹所用連通孔の開口状態を変化せしめる可動弁部材とが、駆動力伝達機構によって単一の駆動源で回転せしめられる。これにより、複数の駆動源を設けることが不要とされて、振分部材をコンパクトに形成することが出来る。そして、駆動力伝達機構によって、単一の駆動源で回転部材と可動弁部材を同時に回転せしめることが出来て、回転部材に設けられた第一の収容凹所の回転位置と第一の収容凹所用連通孔の開口状態との同期が安定して確保されることから、それら回転部材と可動弁部材を別個の駆動源で駆動せしめる場合のように、複数の駆動源の作動を同期するための複雑な処理も不要とされる。更に、本発明によれば、第一の収容凹所の回転位置と第一の収容凹所用連通孔の開口状態との同期が安定して確保されることから、例えば遊技状態に応じて回転部材の回転速度を変化せしめるような場合でも、回転部材の回転速度の変化に追従して可動弁部材の回転速度も変化せしめられる。これにより、回転部材の回転速度に関わらず、第一の収容凹所の回転位置と第一の収容凹所用連通孔の開口状態との同期を確実に取ることが出来て、安定した振り分けを行なうことが出来るのである。更にまた、本発明によれば、万が一駆動源に故障が発生した場合には、回転部材および可動弁部材の両方が停止することから、例えば可動弁部材のみが停止して、第一の収容凹所用連通孔が常に入球可能な状態とされて運用が継続されるおそれも軽減することが出来ると共に、駆動源の故障を外部から速やかに発見することも出来る。
【００１２】
さらに、本発明に従う構造とされたパチンコ機においては、可動弁部材で第一の収容凹所用連通孔の実質的な開閉作動を行なうことが可能とされていることから、例えば従来のように、一方の収容凹所と他方の収容凹所の回転部材における径方向寸法等の形状を異ならせることによって振り分けを行なうようなことも不要とされて、第一の収容凹所と第二の収容凹所を等しい形状で形成することが出来て、振分手段をよりコンパクトに構成することも可能となる。
【００１３】
但し、本発明に加えて、従来のように、収容凹所の回転部材における径方向寸法や、連通孔の形成位置を異ならせる等することによって、更に振り分けを行なうことも勿論可能である。そのようにすれば、第一の収容凹所用連通孔およびもう一つの連通孔を可動弁部材によって振り分けると共に、更にもう一つの連通孔を、収容凹所の径方向寸法の違いや、連通孔の形成位置の違いによって振り分けることが出来る。そして、本発明によれば、それら３つの連通孔への振り分けを、単一の駆動源で実現することが可能となるのである。
【００１４】
なお、本発明における駆動力伝達機構としては、様々な構造が適宜に採用可能であるが、例えば、差動歯車機構などが好適に採用される。また、第一の収容凹所用連通孔は、回転部材の下方に開口せしめられても良いし、回転部材の側方に開口せしめること等も可能である。例えば、第一の収容凹所用連通孔を回転部材の下方に開口せしめる場合には、可動弁部材の阻止部を、回転部材の下方における第一の収容凹所用連通孔との間に介在せしめて、第二の収容凹所に収容された遊技球の第一の収容凹所用連通孔への落下を阻止する等することが出来る。一方、第一の収容凹所用連通孔を回転部材の側方に開口せしめる場合には、阻止部を、回転部材の外周部分を囲む周壁状に形成して、かかる周壁状の阻止部で遊技球の回転部材からの転げ出しを防止する等することが出来る。
【００１５】
また、本発明における第一の収容凹所および第一の収容凹所用連通孔は、複数形成されていても良い。そして、複数の第一の収容凹所および第一の収容凹所用連通孔を形成する場合には、或る第一の収容凹所用連通孔は、或る第一の収容凹所からの入球は許容されるが、その他の第一の収容凹所からの入球は阻止されるようにすることも可能であって、そのような場合には、その他の第一の収容凹所は、当該第一の収容凹所用連通孔に対する関係では入球が許容されない第二の収容凹所と実質的に同じものとされる。更に、第一の収容凹所と第一の収容凹所用連通孔との対応関係は、必ずしも１対１とされる必要はない。従って、例えば、１つの第一の収容凹所用連通孔に対して、複数の第一の収容凹所からの入球を許容する等しても良い。
【発明を実施するための最良の形態】
【００１６】
以下、本発明を更に具体的に明らかにするために、本発明の実施形態について、図面を参照しつつ、詳細に説明する。
【００１７】
先ず、図１に、本発明の一実施形態としてのパチンコ機１０を示す。パチンコ機１０は、縦長の方形状に枠組みされた外枠１２を備えており、かかる外枠１２には、その一側において開閉自在に軸支された状態で、中枠１４が組み付けられている。また、中枠１４の表側には、中枠１４に対して取り付けられた遊技盤１６を透視保護するためのガラス板を備えたガラス枠１８と、上皿２０を備えた皿板２２が、それぞれ、中枠１４の一側に開閉自在に軸支された状態で組み付けられている。また、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して、発射装置（図示せず）に送られた後、遊技盤１６に形成された遊技領域３０に向けて発射されるようになっている。
【００１８】
遊技盤１６は、表面に合成樹脂製のシートが被着された遊技板を備えており、かかる遊技板の表面側に固定されたガイドレール３２によって囲まれた略円形の遊技領域３０には、略中央において、特別可動入賞装置としての可動入賞装置３４が設けられている。図２に示すように、可動入賞装置３４は、前方に開口する内部空間３６を有しており、かかる内部空間３６の上方における左右両側には、遊技領域３０と連通する大入賞口３８が形成されている。本実施形態では、かかる大入賞口３８の開口形状は、上下方向に延びる略縦長の四角形状とされている。そして、大入賞口３８には、それぞれ、一軸回りで傾動可能とされた可動部材としての羽根部材４０が設けられている。かかる羽根部材４０は、遊技盤３０の裏面に配設された図示しない開閉用ソレノイドによって開閉可能とされており、羽根部材４０が起立せしめられた閉状態では、大入賞口３８が羽根部材４０によって実質的に塞がれるようになっており、かかる閉状態下では、大入賞口３８への入球が困難とされる一方、羽根部材４０が傾動せしめられた開状態では、大入賞口３８が開放されて、大入賞口３８への入球が許容されるようになっている。
【００１９】
なお、羽根部材４０の開閉作動は、遊技領域３０の下方の中央部分に配設された始動入賞装置としての可変始動入賞口４２および可変始動入賞口４２の左右に配設された始動入賞口４４への入球に基づいて行なわれるようになっており、例えば本実施形態においては、可変始動入賞口４２に遊技球が入賞すると、羽根部材４０が、１回の開放時間を１秒として２回開作動せしめられる一方、始動入賞口４４に遊技球が入賞すると、羽根部材４０が、１回の開放時間を１秒として１回開作動せしめられるようになっている。
【００２０】
ここにおいて、特に可変始動入賞口４２には、開閉部材４６が設けられており、通常は開閉部材４６が閉状態とされることによって、可変始動入賞口４２の開口寸法が遊技球より僅かに大きい程度とされて、遊技球の入球が許容されるものの入球が困難な状態とされる。そして、遊技領域３０に設けられた通過チャッカー４８を遊技球が通過した際に行なわれる例えば乱数カウンタを用いた抽選結果に基づいて、開閉部材４６が開状態とされて、遊技球が入球し易い状態とされるようになっている。
【００２１】
そして、可動入賞装置３４において、一対の大入賞口３８の下方における左右方向中間部分には、上方に突出する山状の誘導部材５０が設けられており、かかる誘導部材５０を挟んで左右両側に分岐して内部空間３６に開口する誘導路５２が形成されている。更に、各誘導路５２の入り口となる誘導部材５０の左右両側には、従来公知の近接スイッチによって構成された可変入賞スイッチ５４が配設されており、かかる可変入賞スイッチ５４が遊技球を検出することによって、所定数の賞球（遊技球）が払い出されるようになっている。
【００２２】
さらに、誘導路５２を通って内部空間３６内に誘導された遊技球は、内部空間３６内の上部に設けられた上側ステージ５６上を転動せしめられる。上側ステージ５６は、内部空間３６の幅寸法の全長に亘って、内部空間３６の手前側から奥側に向かって下る傾斜状態で設けられており、上側ステージ５６上を転動せしめられる遊技球を、内部空間３２の奥側に案内して、上側ステージ５６の奥側端部から、内部空間３２の底面に設けられた下側ステージ５８に落下せしめるようにされている。
【００２３】
ここにおいて、上側ステージ５６の下方には、内部空間３６の奥側から手前側に突出する一対の案内部材５８が設けられている。案内部材５８は、内部空間３６の左右方向中央部分および左右両端部に至らない程度の幅寸法を有すると共に、内部空間３６の中央に行くに連れて下方に傾斜せしめられた形状とされている。そして、図面からは明らかではないが、案内部材５８の手前側の端縁部は、上側ステージ５６の奥側の端縁部よりも前方に突出せしめられており、上面視において上側ステージ５６の奥側の端縁部と内部空間３２の奥側との間に案内部材５８が跨って配設されている。これにより、上側ステージ５６から落下せしめられる遊技球の落下経路上に、案内部材５８が位置せしめられている。更に、案内部材５８における内部空間３６の中央側の端縁部には、下方に突出する案内片６０が一体的に形成されている。そして、このような案内部材５８が、内部空間３６の中央部分で所定距離を隔てて対向位置せしめられている。ここにおいて、一対の案内部材５８の左右方向の離隔距離は、遊技球の径寸法よりもやや大きな寸法とされている。これにより、上側ステージ５６から案内部材５８上に落下せしめられた遊技球は、案内部材５８によって内部空間３６の幅方向中央部分に案内されて、両案内部材５８の案内片６０の間を下方に落下せしめられる。
【００２４】
そして、案内部材５８の下方において、内部空間３６の中央部には、振分手段としての振分装置６２が配設されている。図３乃至図７に、振分装置６２を示す。振分装置６２は、収容ケース６４の上部に形成された収容部７８に回転部材６６および可動弁部材としての仕切部材６８が同軸上に重ね合わせて略収容状態で配設されると共に、収容ケース６４の下方に駆動源としての電動モータ７０および電動モータ７０の駆動力を回転部材６６および仕切部材６８に伝達する駆動力伝達機構としての歯車機構７２が設けられた構造とされている。
【００２５】
より詳細には、収容ケース６４は、略円環板形状とされた底面７４の外周縁部の略全周に亘って、上方に突出する周壁７６が形成された略有底円筒形状の収容部７８を備えており、かかる収容部７８が収容ケース６４の収容領域とされている。そして、周壁７６の周方向の一部分において、外方に突出する導入路８０が一体的に形成されている。導入路８０は、上方に凹となる円弧状断面をもって、収容部７８の径方向外方に突出して形成されており、底面７４からやや上方において、周壁７６の内面に開口せしめられている。また、導入路８０は、遊技球の径寸法よりも僅かに大きな幅寸法をもって、収容部７８の内方に向けて僅かに下方に傾斜せしめられている。そして、かかる導入路８０が、幅方向で対向位置せしめられた案内部材５８における案内片６０間の下方に位置せしめられており、案内部材５８に案内されて案内片６０間を落下せしめられた遊技球を、収容部７８内に案内するようにされている。
【００２６】
また、底面７４には、底面７４の周方向に延びる複数の連通孔が貫設されている。本実施形態においては、導入路８０から底面７４の周方向の一方（本実施形態においては、上面視において左側）に第一当たり連通孔８２が形成されており、導入路８０と径方向で略対向する位置に第二当たり連通孔８４が形成されている。一方、第一当たり連通孔８２と径方向で対向する位置にはずれ連通孔８６が形成されている。ここにおいて、第一当たり連通孔８２は、中心角が略６０°とされた略１／６周の略円弧形状とされている。また、第二当たり連通孔８４は、中心角が略７５°とされた略１／４周の略円弧形状とされている。また、はずれ連通孔８６は、中心角が略６０°とされた略１／６周の略円弧形状とされている。更に、第一及び第二当たり連通孔８２，８４の径方向幅寸法は略同じ寸法とされて、はずれ連通孔８６の径方向幅寸法よりも大きくされており、これら第一および第二当たり連通孔８２，８４の径方向内側端縁部は、はずれ連通孔８６の径方向内側端縁部よりも、底面７４の内方に位置せしめられている。また、第一および第二当たり連通孔８２，８４は、底面７４の下方に一体的に突出形成されて収容ケース６４の径方向外方に開口する排出路８８，９０と連通せしめられており、第一および第二当たり連通孔８２，８４に入った遊技球は、これら排出路８８，９０を通じて収容ケース６４の径方向外方に向けて排出されるようになっている。一方、図５に示すように、はずれ連通孔８６は、底面７４の外周縁部から周壁７６に連続して形成されており、はずれ連通孔８６に入った遊技球は、はずれ連通孔８６から底面７４の略下方へ排出されるようになっている。
【００２７】
そして、底面７４の上方には、回転部材６６が、底面７４の同軸上に配設されている。回転部材６６は、上面視において略円形状を有すると共に、中心部分が上方に突出する滑らかな略笠形状とされている。そして、回転部材６６の外周縁部には、上下及び径方向外方に向けて開口せしめられた略Ｕ字の溝形状を有する収容凹所が周方向で所定間隔を隔てて複数形成されている。本実施形態においては、かかる収容凹所として、回転部材６６の径方向で対向する位置に一対の当たり収容凹所９４ａ，９４ｂが形成されていると共に、回転部材６６の周方向における当たり収容凹所９４ａ，９４ｂの間の一方の側に、所定間隔を隔ててはずれ収容凹所９６ａ，９６ｂ，９６ｃが形成されていると共に、他方の側に、所定間隔を隔ててはずれ収容凹所９６ｄ、９６ｅ，９６ｆが形成されている。従って、本実施形態においては、合計８つの収容凹所９４，９６が、周方向で等しい間隔を隔てて形成されている。
【００２８】
ここにおいて、当たり収容凹所９４と、はずれ収容凹所９６は、回転部材６６の内方への突出寸法、要するに、溝の深さ寸法が異ならされており、はずれ収容凹所９６に比して、当たり収容凹所９４の深さ寸法が大きくされている。そして、図３にも示すように、はずれ収容凹所９６の径方向内方の端縁部は、回転部材６６の収容ケース６４への組み付け状態において、底面７４に形成されたはずれ連通孔８６の径方向内側の端縁部と略等しく位置せしめられて、第一および第二当たり連通孔８２，８４の径方向内側の端縁部よりも径方向外方に位置せしめられる一方、当たり収容凹所９４の径方向内方の端縁部は、第一および第二当たり連通孔８２，８４の径方向内側の端縁部と略等しく位置せしめられる。更に、当たり収容凹所９４には、下端の外周縁部を周方向に延びる薄板形状の梁部９８が形成されている。梁部９８は、図７に示すように、その上端面の径方向内側部分が、当たり収容凹所９４の内方に向けて僅かに下方に傾斜せしめられている。また、梁部９８は、図３に示すように、径方向内方の端縁部が、第一および第二当たり連通孔８２，８４の径方向外側の端縁部と略等しく位置せしめられるようになっている。一方、はずれ収容凹所９６には、そのような梁部９８は形成されておらず、収容凹所９６の全体が、回転部材６６の径方向外方に開口せしめられている。
【００２９】
そして、かかる回転部材６６における下端面の中心軸上には、下方に突出する駆動軸１００が一体的に形成されており、かかる駆動軸１００が、底面７４の中央部分に貫設された中央孔１０２および後述する軸支持部１２０の中央に貫設された挿通孔１２３を通じて、収容ケース６４の下方に突出せしめられており、かかる駆動軸１００の突出先端部に、駆動歯車１０４が固着されている。そして、かかる駆動歯車１０４が、電動モータ７０の出力軸１０６に取り付けられた出力歯車１０８と噛合せしめられることによって、電動モータ７０の駆動力が駆動歯車１０４に伝達されるようになっている。更に、駆動歯車１０４の上面には、駆動軸１００を全周に亘って囲むようにして傘歯車１０５が一体的に形成されている。
【００３０】
さらに、回転部材６６の下方において、底面７４との間には、仕切部材６８が配設されている。仕切部材６８は、中央に貫通孔１１０を有する略薄板円環板形状とされている。そして、仕切部材６８の外周縁部には、径方向外方に突出して、所定の周方向寸法に亘って延びる阻止部１１２が一体的に形成されている。ここにおいて、図６にも示すように、阻止部１１２の上端面は、径方向外方に行くに連れて僅かに下方に傾斜する傾斜面とされている。また、阻止部１１２の周方向両端部は、周方向外方に行くにつれて僅かに下方に傾斜する傾斜面とされており、これによって、収容凹所９４，９６に収容された遊技球の下方に滑らかに入ることが出来るようにされている。そして、仕切部材６８において、阻止部１１２が形成されていない外周縁部が、切欠部１１４とされている。
【００３１】
ここにおいて、阻止部１１２および切欠部１１４の数および周方向寸法は、底面７４に形成される連通孔８２，８４，８６の周方向寸法や回転部材６６に形成される収容凹所９４，９６の個数や大きさ、形成位置などを考慮して決定されるものであるが、本実施形態においては、阻止部１１２は、中心角が略１４０°の半周より僅かに小さな円弧形状とされており、回転部材６６の周方向で、４つの収容空所９４，９６に亘る周方向寸法を有している。これにより、本実施形態における阻止部１１２の周方向寸法は、仕切部材６８の周方向の半周よりもやや小さくされており、切欠部１１４の周方向寸法は、仕切部材６８の周方向の半周よりもやや大きくされている。また、阻止部１１２の径方向外方への突出寸法は周方向で一定とされており、図３に示すように、仕切部材６８の収容ケース６４への組み付け状態において、阻止部１１２の径方向外方の端縁部が、回転部材６６のはずれ収容凹所９６の径方向内方端縁部と略等しく位置せしめられている。従って、阻止部１１２が第一および第二当たり収容凹所９４と重ね合わされた状態においては、阻止部１１２は、収容凹所９４の径方向内側端縁部から所定寸法だけ径方向外方に突出せしめられることとなる。
【００３２】
さらに、仕切部材６８の下面における中央孔１１０の外周部分には、歯車機構７２を構成する傘歯車１１６が一体的に形成されている。傘歯車１１６は、一対の伝達歯車１１８を介して、回転部材６６に取り付けられた駆動歯車１０４の傘歯車１０５に噛合せしめられている。
【００３３】
より詳細には、歯車機構７２は、傘歯車１１６、駆動歯車１０４と傘歯車１０５、および伝達歯車１１８によって差動歯車機構の如き構造とされている。ここにおいて、一対の伝達歯車１１８は互いに同様の構造の傘歯車とされており、収容ケース６４において底面７４の下方に一体的に形成された軸支持部１２０内に半収容状態で配設されている。軸支持部１２０は、底面７４の中央孔１１０の外周縁部から下方に突出する略有底円筒形状とされており、その底板部１２２の中央部分に貫設された挿通孔１２３内に、回転部材６６の駆動軸１００が挿通せしめられている。更に、底板部１２２には、略矩形状をもって下方に開口せしめられた一対の差込孔１２４が挿通孔１２３を挟んで形成されており、かかる差込孔１２４のやや上方には、下方に開口する略Ｕ字形状を有する一対の係止部１２６が形成されている。
【００３４】
そして、一対の伝達歯車１１８がそれぞれの差込孔１２４に差し込まれて、その軸１２８が係止部１２６で係止せしめられると共に、下方から駆動歯車１０４の傘歯車１０５が噛合せしめられる。これにより、一対の伝達歯車１１８は、係止部１２６と駆動歯車１０４で上下方向から挟まれるようにして、軸１２８およびその上方部分が軸支持部１２０内に収容された状態で、軸１２８を水平方向に向けて、軸１２８回りに回転可能とされると共に、これら一対の伝達歯車１１８が、駆動歯車１０４の径方向で対向位置せしめられている。
【００３５】
さらに、伝達歯車１１８の上方に、仕切部材６８が配設されて、仕切部材６８に形成された傘歯車１１６が、これら伝達歯車１１８の上端部において噛合せしめられることによって、仕切部材６８が伝達歯車１１８に支持せしめられると共に、回転部材６６と同軸上で収容ケース６４の収容部７８内に収容状態で配設されることとなる。そして、仕切部材６８の傘歯車１１６と駆動歯車１０４の傘歯車１０５が伝達歯車１１８を介して噛合せしめられることによって、電動モータ７０が通電されて、出力歯車１０８が回転せしめられた場合には、駆動歯車１０４が回転せしめられて、駆動歯車１０４に直結された回転部材６６が回転せしめられると共に、駆動歯車１０４の駆動力が伝達歯車１１８を介して仕切部材６８に伝達されるようになっており、仕切部材６８は、駆動歯車１０４に固着された回転部材６６の回転方向と反対方向に回転せしめられるようになっている。
【００３６】
ここにおいて、仕切部材６８に形成された傘歯車１１６と駆動歯車１０４に形成された傘歯車１０５の歯数は等しくされており、これら仕切部材６８と回転部材６６は、上下方向に延びる中心軸回りで互いに等しい回転速度で逆方向に回転せしめられるようになっている。特に本実施形態においては、回転部材６６が上面視において時計回りに一定の回転速度で回転せしめられるようになっており、仕切部材６８は、上面視において時計回りと反対方向に、回転部材６６と等しい回転速度で回転せしめられるようになっている。このように、本実施形態においては、駆動歯車１０４と駆動歯車１０４に形成された傘歯車１０５、仕切部材６８に形成された傘歯車１１６、および一対の伝達歯車１１８を含んで、駆動力伝達手段としての歯車機構７２が構成されている。
【００３７】
このような構造とされた振分装置６２の下方には、遊技球を案内する第一案内路１３０と、第一案内路１３０を挟んで一対の第二案内路１３２が設けられている。これら案内路１３０，１３２は、遊技球の径寸法より僅かに大きな幅寸法をもって内部空間３６の奥側から手前側に向けて次第に下方に傾斜する傾斜面とされており、第一案内路１３０の幅方向両側には、側壁１３４，１３６が設けられていると共に、第一案内路１３０の両側に形成される第二案内路１３２は、それぞれ、内側の側壁として側壁１３４，１３６を第一の案内路１３０と共通して用いると共に、外側の側壁として側壁１３８、１４０を備えた構造とされている。そして、詳細な図示は省略するが、第一案内路１３０は、振分装置６２における第一当たり連通孔８２と連通する排出口８８と接続されており、第一当たり連通孔８２から落下せしめられた遊技球が第一案内路１３０に誘導される一方、一対の第二案内路１３２は、第二当たり連通孔８４と連通する排出口９０と接続されており、第二当たり連通孔８４から落下せしめられた遊技球は一対の第二案内路１３２の何れかに誘導されるようになっている。
【００３８】
さらに、第一案内路１３０の下方には、入球口としての第一特定入賞口１４２が設けられている。これにより、第一案内路１３０を流下せしめられた遊技球は、第一特定入賞口１４２に入球するようになっている。一方、一対の第二案内路１３２の下方には、それぞれ、入球口としての第二特定入賞口１４４が設けられている。これにより、第二案内路１３２を流下せしめられた遊技球は、第二特定入賞口１４４に入球するようになっている。そして、第一特定入賞口１４２に遊技球が入った場合には、羽根部材４０が予め定められた所定時間及び所定回数だけ開放作動せしめられることによって、遊技球の大入賞口３８への入賞がより容易とされて、通常の遊技状態よりも多くの賞球を得ることの出来る特典遊技状態が発現せしめられる。一方、第二特定入賞口１４４に遊技球が入った場合には、羽根部材４０が予め定められた、第一特定入賞口１４２に遊技球が入った場合よりも少ない所定時間及び所定回数だけ開放作動せしめられることによって、第一特定入賞口１４２への入球時よりは少ないが、通常の遊技状態よりも多い賞球を得ることの出来る特典遊技状態が発現せしめられるようになっている。
【００３９】
このように、本実施形態においては、振分装置６２の第一当たり連通孔８２に落下せしめられた遊技球は、第一案内路１３０を流下せしめられて第一特定入賞口１４２に入球せしめられると共に、第二当たり連通孔８４に落下せしめられた遊技球は、第二案内路１３２を流下せしめられて第二特定入賞口１４４に入球せしめられるようになっている。即ち、振分装置６２において回転部材６６の第一当たり収容凹所９４ａに収容された遊技球は、第一当たり連通孔８２および第一案内路１３０を通じて第一特定入賞口１４２に入球せしめられる一方、第二当たり収容凹所９４ｂに収容された遊技球は、第二当たり連通孔８４および第二案内路１３２を通じて第二特定入賞口１４４に入球せしめられるようになっている。
【００４０】
なお、振分部材６２のはずれ連通孔８６から落下せしめられた遊技球は、これら第一および第二誘導路１３０，１３２に案内されることはなく、下側ステージ５７上に落下せしめられて、下側ステージ５７の側方に設けられた入球口としての排出口１４６を通って遊技盤１６の裏側に排出されるようになっている。
【００４１】
次に、上述の如き構造とされた振分部材６２の作動態様を、図８乃至図１２に基づいて説明する。本実施形態においては、電動モータ７０が一定の速度で回転せしめられることによって、回転部材６６が上面視において時計回りの一定の回転速度で回転せしめられると共に、仕切部材６８が、回転部材６６と反対方向（上面視において時計回りと反対方向）で、回転部材６６と等しい回転速度で回転せしめられる。なお、図８は、回転部材６６および仕切部材６８の回転位置を時系列に沿って図８（ａ）から図８（ｈ）の順に示したものであり、図８（ｈ）の状態の後は、図８（ａ）の状態に戻ることとなる。
【００４２】
先ず、第一当たり収容凹所９４ａについて説明すると、図８（ａ）において、第一当たり収容凹所９４ａは、導入路８０と連通せしめられることによって、遊技球が収容される。そして、図８（ｃ）において、第一当たり収容凹所９４ａが、第一当たり連通孔８２上に位置せしめられる。ここにおいて、図９にも示すように、第一当たり収容凹所９４ａの下方には、仕切部材６８の切欠部１１４が位置せしめられている。これにより、第一当たり収容凹所９４ａの下側開口部の全体が第一当たり連通孔８２と連通せしめられて、第一当たり収容凹所９４ａに収容された遊技球１４８が第一当たり連通孔８２に落下せしめられる。なお、第一当たり収容凹所９４ａの外周縁部には梁部９８が設けられて、遊技球が底面７４の外周縁部に位置せしめられることも防止されていることから、遊技球が第一当たり連通孔８２の外周部分の底面７４に係止されるようなことも防止されて、安定して落下せしめることが可能とされている。このように、本実施形態においては、第一当たり収容凹所９４ａに収容せしめられた遊技球は、第一当たり連通孔８２に落下せしめられるようにされている。
【００４３】
一方、第二当たり収容凹所９４ｂについて説明すると、第二当たり収容凹所９４ｂは、図８（ｅ）において、導入路８０と連通せしめられることによって、遊技球が収容される。そして、図８（ｇ）において、第二当たり収容凹所９４ｂは、第一当たり連通孔８２上に位置せしめられる。ここにおいて、図１０にも示すように、第二当たり収容凹所９４ｂの下方には、仕切部材６８の阻止部１１２が位置せしめられている。これにより、第一当たり連通孔８２の実質的な開口寸法が小さくされて、第二当たり収容凹所９４ｂに収容された遊技球１４８は、阻止部１１２と梁部９８で支持されて、第一当たり連通孔８２への落下が阻止される。なお、第一当たり連通孔８２は、周方向に延びる所定寸法をもって形成されているが、阻止部１１２が第一当たり連通孔８２の周方向寸法よりも大きな周方向寸法をもって形成されていることから、第二当たり収容凹所９４ｂが第一当たり連通孔８２の上方に位置せしめられている期間の全体に亘って、阻止部１１２が第二当たり収容凹所９４ｂの下方に位置せしめられるようになっている。
【００４４】
そして、第二当たり収容凹所９４ｂは、遊技球１４８を収容したままの状態で第一当たり連通孔８２上を通過して、図８（ａ）に示すように、第二当たり連通孔８４上に位置せしめられる。ここにおいて、図１１にも示すように、第二当たり収容凹所９４ｂの下方には、仕切部材６８の切欠部１１４が位置せしめられる。これにより、第二当たり収容凹所９４ｂの下側開口部の全体が第二当たり連通孔８４と連通せしめられて、第二当たり収容凹所９４ｂに収容された遊技球１４８が第二当たり連通孔８４に落下せしめられることとなる。なお、第二当たり収容凹所９４ｂにおいても、前述の第一当たり収容凹所９４ａと同様の梁部９８が設けられていることから、遊技球を第二当たり連通孔８４に安定して落下せしめることが可能とされている。このように、本実施形態においては、第二当たり収容凹所９４ｂに収容せしめられた遊技球は、第一当たり連通孔８２に落下せしめられることなく、第二当たり連通孔８４に落下せしめられるようにされている。
【００４５】
また、はずれ収容凹所９６ａ乃至９６ｆについて、はずれ収容凹所９６ａを例に説明すると、例えば図８（ｂ）に示すように、はずれ収容凹所９６ａが第一当たり連通孔８２上に位置せしめられた場合には、図１２にも示すように、はずれ収容凹所９６ａの溝深さ寸法（回転部材６６の径方向内方への深さ寸法）は前述の当たり収容凹所９４に比して小さいことから、第一当たり連通孔８２の実質的な開口寸法が小さくされて、遊技球１４８がはずれ収容凹所９６ａと第一当たり連通孔８２の外周縁部の底面７４によって係止されて、第一当たり連通孔８２への落下が不可能とされる。更に、回転部材６６が回転せしめられて、図８（ｄ）に示すように、はずれ収容凹所９６ａが第二当たり連通孔８４上に位置せしめられた場合も同様に、第二当たり連通孔８４への落下が阻止される。そして、図８（ｆ）に示すように、はずれ収容凹所９６ａがはずれ連通孔８６上に位置せしめられた場合には、はずれ連通孔８６が周壁７６に亘って大きく形成されている（図５参照）ことから、遊技球１４８のはずれ連通孔８６への落下が許容されるようになっている。このように、本実施形態においては、はずれ収容凹所９６ａ乃至９６ｆに収容せしめられた遊技球は、第一および第二当たり連通孔８２、８４に落下せしめられることなく、はずれ連通孔８６に落下せしめられるようにされている。
【００４６】
以上のように、本実施形態における振分装置６２においては、第一当たり連通孔８２の上方に第一当たり収容凹所９４ａが位置せしめられる場合には、仕切部材６８の切欠部１１４が介在せしめられることによって、遊技球の入球が許容される一方、第一当たり連通孔８２の上方に第二当たり収容凹所９４ｂが位置せしめられる場合には、仕切部材６８の阻止部１１２が介在せしめられることによって、遊技球の入球が不可能とされている。このように、本実施形態においては、第一当たり連通孔８２が第一の収容凹所用連通孔とされており、かかる第一当たり連通孔８２との関係では、第一当たり収容凹所９４ａが入球が許容される第一の収容凹所とされると共に、第二当たり収容凹所９４ｂは、入球が阻止される第二の収容凹所とされる。一方、第二当たり連通孔８４の上方に第二当たり収容凹所９４ｂが位置せしめられた場合には、仕切部材６８の切欠部１１４が介在せしめられることによって、遊技球の入球が許容されることとなる。このように、本実施形態においては、第二当たり連通孔８４も第一の収容凹所用連通孔とされており、かかる第二当たり連通孔８４との関係では、第二当たり収容凹所９４ｂが、入球が許容される第一の収容凹所とされることとなる。要するに、本実施形態においては、第一の収容凹所として第一及び第二当たり収容凹所９４ａ，９４ｂの２つが形成されていると共に、それらに対応する第一の収容凹所用連通孔として第一及び第二当たり連通孔８２，８４の２つが形成されている。そして、第一の収容凹所用連通孔としての第一当たり連通孔８２は、第一の収容凹所としての第一当たり収容凹所９４ａからの入球は許容するが、その他の第一の収容凹所としての第二当たり収容凹所９４ｂからの入球は阻止するようにされており、第一当たり連通孔８２との関係では、第一当たり収容凹所９４ａが第一の収容凹所とされる一方、入球が阻止される第二当たり収容凹所９４ｂは、実質的に第二の収容凹所とされる。他方、第二当たり連通孔８４との関係では、第二当たり収容凹所９４ｂが第一の収容凹所とされる一方、第一当たり収容凹所９４ａが第二の収容凹所とされることとなる。
【００４７】
このような構造とされたパチンコ機１０においては、振分装置６２を構成する回転部材６６および仕切部材６８が、歯車機構７２によって、単一の電動モータ７０によって回転駆動せしめられるようにされている。これにより、振分装置６２をコンパクトに構成することが出来ると共に、複数の駆動源を用いることに起因する複雑な作動制御を行うことも不要とされる。更に、本実施形態においては、回転部材６６と仕切部材６８を、同一の回転速度で互いに逆方向に回転せしめることが可能とされていることから、例えば電動モータ７０の回転速度を変化せしめた場合でも、第一及び第二当たり収容凹所９４ａ，９４ｂの位置と仕切部材６８の阻止部１１２および切欠部１１４との相対位置を安定して同期せしめることが可能とされており、安定した振り分けを行うことが可能とされるのである。加えて、万が一電動モータ７０や歯車機構７２に故障が発生した場合には、回転部材６６及び仕切部材６８が共に停止せしめられることから、異常な状態で運用が継続されるおそれも軽減されると共に、振分装置６２の故障を速やかに発見することも可能となるのである。
【００４８】
さらに、特に本実施形態におけるパチンコ機１０においては、仕切部材６８で第一当たり連通孔８２の開口状態を変化せしめることによって、互いに等しい形状を有する第一及び第二当たり収容凹所９４ａ，９４ｂの間でも、第一当たり収容凹所９４ａに収容された遊技球のみを第一当たり連通孔８２へ入球せしめることが可能とされている。これにより、２つの収容凹所９４ａ，９４ｂを互いの形状を異ならせることなく形成することも可能とされて、振分装置６２をよりコンパクトに構成することも可能とされている。
【００４９】
加えて、本実施形態においては、はずれ連通孔８６の形状および形成部位が、第一及び第二当たり連通孔８２，８４と異ならされていると共に、はずれ収容凹所９６の溝深さ寸法が、第一及び第二当たり収容凹所９４ａ，９４ｂの溝深さ寸法よりも小さくされることによって、はずれ収容凹所９６に収容された遊技球は、第一及び第二当たり連通孔８２，８４への入球は不可能とされて、はずれ連通孔８６への入球のみが許容されている。このように、本実施形態においては、はずれ収容凹所９６の形状をその他の収容凹所９４と異ならせることによって、はずれ連通孔８６とその他の連通孔８２，８４との間の遊技球の振り分けも可能とされている。そして、本実施形態においては、それら３つの連通孔８２、８４，８６への振り分けを、単一の電動モータ７０で実現することが可能とされているのである。
【００５０】
以上、本発明の一実施形態について詳述してきたが、これはあくまでも例示であって、本発明は、かかる実施形態における具体的な記載によって、何等、限定的に解釈されるものではない。
【００５１】
例えば、前述の実施形態における第一の収容凹所用連通孔およびその他の連通孔と、特別可動入賞装置に設けられた入球口との対応は、あくまでも例示であって、前述の実施形態における第一の収容凹所用連通孔としての連通孔８２を、第二特定入球口１４４に連通せしめたり、排出口１４６に連通せしめる等しても良い。
【００５２】
また、回転部材６６に設けられる収容凹所の数や配設間隔等は、前述の如き態様に限定されるものではなく、回転部材６６に２つの収容凹所のみを設けて、何れか一方を第一の収容凹所として、他方を第二の収容凹所とすると共に、収容ケースに２つの連通孔のみを設けて、何れか一方の連通孔を第一の収容凹所用連通孔とするなどしても良い。
【００５３】
すなわち、前述の実施形態において、回転部材６６に第一及び第二当たり収容凹所９４ａ，９４ｂの二つの収容凹所のみを形成すると共に、収容ケース６４において第一及び第二当たり連通孔８２，８４の二つの連通孔のみを形成して、第一当たり連通孔８２を第一乃至は第二特定入賞口１４２，１４４に連通せしめて、当たりの連通孔とする一方、第二当たり連通孔８４を排出口１４６に連通せしめて、はずれの連通孔とするなどしても良い。このようにすれば、第一当たり収容凹所９４ａに収容された遊技球は、当たりの連通孔とされた第一当たり連通孔８２への入球が許容される一方、第二当たり収容凹所９６ｂに収容された遊技球は、第一当たり連通孔８２上に案内された場合には阻止部１１２によって第一当たり連通孔８２への入球が阻止されると共に、はずれの連通孔とされた第二当たり連通孔８４上に案内された場合には、切欠部１１４によって第二当たり連通孔８４への入球が許容される。このようにすれば、収容凹所の溝深さ寸法を等しくしつつ、遊技球の振り分けを実現することが出来ることから、回転部材をよりコンパクトに構成することも出来る。
【００５４】
そして、そのような態様に加えて、従来のように、連通孔の形成位置を異ならせることによって、更なる振り分けを行なうことも可能である。例えば、上記態様において、収容ケース６４の底面７４上に形成された第一及び第二当たり連通孔８２，８４に加えて、収容ケース６４の周壁７６上に、はずれ連通孔８６を形成する。それと共に、回転部材６６に、第一及び第二当たり収容凹所９４ａ，９４ｂと同じ溝深さ寸法を有するはずれ収容凹所９６を形成すると共に、かかるはずれ収容凹所９６に底面を形成することによって、はずれ収容凹所９６に収容された遊技球の回転部材６６の下方への落下を阻止しつつ、回転部材６６の側方への転動のみを許容する。このようにすれば、はずれ収容凹所９６に収容された遊技球は、下方への落下が阻止されることによって、回転部材６６の下方に開口せしめられた第一及び第二当たり連通孔８２，８４への落下を阻止されつつ、回転部材６６の側方に開口せしめられたはずれ連通孔８６への入球が許容されることとなる。これにより、第一及び第二当たり連通孔８２，８４と、はずれ連通孔８６の３つの連通孔への振り分けを行なうことが出来る。そして、本発明によれば、第一及び第二当たり収容凹所９４ａ，９４ｂと、はずれ収容凹所９６の溝の大きさを異ならせることなく、３つの連通孔への振り分けを単一の駆動源で実現することも可能となるのである。
【００５５】
また、第一の収容凹所と第一の収容凹所用連通孔との対応関係は、必ずしも１対１とされる必要はないのであって、例えば、１つの第一の収容凹所用連通孔に対して、複数の第一の収容凹所からの入球を許容する等しても良い。具体的には、前述の実施形態において、第一当たり収容凹所９４ａに隣接するはずれ連通孔９６ｆを、第一当たり収容凹所９４ａと同じ大きさ（回転部材６６の径方向における溝深さ寸法）に形成することによって、第一当たり収容凹所９４ａおよびはずれ連通孔９６ｆの２つの収容凹所を第一の収容凹所とする等しても良い。このようにすれば、はずれ連通孔９６ｆが第一当たり連通孔８２の上方に位置せしめられた場合でも、仕切部材６８の切欠部１１４が介在せしめられることによって（図８（ｄ）参照）、はずれ連通孔９６ｆに収容された遊技球も、第一当たり連通孔８２へ落下せしめることが可能となることから、第一当たり連通孔８２に対して、第一当たり収容凹所９４ａおよびはずれ連通孔９６の２つの収容凹所からの入球を許容することが出来る。
【００５６】
また、仕切部材に形成される阻止部および切欠部の具体的な形状や個数等は、前述の如き態様に限定されない。従って、例えば複数の阻止部および切欠部を形成するなどしても良い。更に、図１３にモデル的に示す異なる態様としての振分装置１５０のように、第一の収容凹所と阻止部および切欠部を、回転部材の側方において回転部材の外周を囲むように形成するなどしても良い。なお、図１３において、前述の実施形態と実質的に同様の部材および部位には、前述の実施形態と同一の符号を付することによって、その詳細な説明を省略する。
【００５７】
振分装置１５０は、回転部材６６の側方を全周に亘って囲む収容ケース６４の周壁７６に、適当な個数の当たり連通孔１５２およびはずれ連通孔１５４が周方向に延びる所定寸法をもって形成されている。そして、回転部材６６の下方には、前述の仕切部材６８と略同様の構造とされた仕切部材１５６が配設されている。ここにおいて、仕切部材１５６は、回転部材６６の径寸法よりも僅かに大きな径寸法を有する略円環板形状をもって回転部材６６と底面７４の間で略水平方向に広がる形状とされており、その外周縁部における周方向の所定の部位には、上方に突出する周壁状の阻止部１５８が形成されていると共に、その外周縁部において阻止部１５８が形成されていない部位が、切欠部１６０とされている。そして、かかる回転部材６６および仕切部材１５６は、前述の実施形態と同様の図示しない歯車機構によって、上下方向に延びる中心軸回りで互いに等しい回転速度をもって逆方向に回転可能とされている。
【００５８】
このような構造とされた振分装置１５０においては、阻止部１５８が回転部材６６の径方向において回転部材６６と周壁７６の間に介在せしめられるようにされており、これにより、周壁７６に形成された当たり連通孔１５２やはずれ連通孔１５４の実質的な開放状態と閉塞状態を発現せしめることが出来る。そして、例えば図１３に示すように、回転部材６６に形成された当たり収容凹所１６２ａと当たり連通孔１５２が回転部材６６の径方向で対向位置せしめられた状態において、それら当たり収容凹所１６２ａと当たり連通孔１５２との間に、切欠部１６０が位置せしめられている場合には、当たり収容凹所１６２ａと当たり連通孔１５２が連通せしめられて、収容凹所１６２ａに収容された遊技球が、当たり連通孔１５２に入球せしめられる。なお、本態様においては、遊技球は回転部材６６の径方向外方に転動せしめられる必要があることから、当たり収容凹所１６２ａおよび後述する当たり収容凹所１６２ｂには、前述の実施形態の如き梁部９８は形成されておらず、当たり収容凹所１６２ａ，１６２ｂは、回転部材６６の径方向外方に開口せしめられている。また、図１３において、仕切部材１５６は、回転部材６６の下方において略水平方向に広がる形状とされているが、収容凹所１６２ａ，１６２ｂに収容された遊技球を連通孔１５２，１５４に入球され易くするために、仕切部材１５６の上面において、径方向外方に向けて下方に傾斜する傾斜面を形成する等しても良い。一方、例えば回転部材６６に形成された当たり収容凹所１６２ｂとはずれ連通孔１５４が回転部材６６の径方向で対向位置せしめられた状態において、それら当たり収容凹所１６２ｂとはずれ連通孔１５４との間に、阻止部１５８が位置せしめられている場合には、はずれ連通孔１５４が実質的な閉塞状態とされて、当たり収容凹所１６２ｂに収容された遊技球のはずれ連通孔１５４への入球を阻止することが出来る。
【００５９】
また、前述の実施形態においては、電動モータ７０の回転速度は一定とされていたが、例えば、遊技状態に応じて、電動モータ７０の回転速度を変化せしめる等しても良い。そして、本発明によれば、歯車機構７２によって、回転部材６６と仕切部材６８が同じ速度で回転せしめられることから、それら回転部材６６と仕切部材６８の回転速度を変化せしめた場合でも、回転部材６６の回転位置と連通孔８２，８４、８６の開口状態の同期を安定して確保することが出来るのである。
【００６０】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６１】
【図１】本発明の一実施形態としてのパチンコ機を示す正面図。
【図２】同パチンコ機に設けられる特別可動入賞装置を示す正面図。
【図３】同特別可動入賞装置に設けられる振分装置を示す上面図。
【図４】同振分装置の背面図。
【図５】同振分装置の側面図。
【図６】図３におけるＶＩ−ＶＩ断面図。
【図７】図３におけるＶＩＩ−ＶＩＩ断面図。
【図８】同振分装置の作動態様を説明するための説明図。
【図９】図８（ｃ）における第一当たり連通孔の開口状態を説明するための説明図。
【図１０】図８（ｇ）における第一当たり連通孔の開口状態を説明するための説明図。
【図１１】図８（ａ）における第二当たり連通孔の開口状態を説明するための説明図。
【図１２】図８（ｂ）における第一当たり連通孔の開口状態を説明するための説明図。
【図１３】振分装置の異なる態様を説明するための説明図。
【符号の説明】
【００６２】
１０：パチンコ機、３４：可動入賞装置、３８：大入賞口、４０：羽根部材、６２：振分装置、６４：収容ケース、６６：回転部材、６８：仕切部材、７２：歯車機構、８２：第一当たり連通孔、８４：第二当たり連通孔、８６：はずれ連通孔、９４ａ：第一当たり収容凹所、９４ｂ：第二当たり収容凹所、９６：はずれ収容凹所
【図１】
2008278986.tif 000003
【図２】
2008278986.tif 000004
【図３】
2008278986.tif 000005
【図４】
2008278986.tif 000006
【図５】
2008278986.tif 000007
【図６】
2008278986.tif 000008
【図７】
2008278986.tif 000009
【図８】
2008278986.tif 000010
【図９】
2008278986.tif 000011
【図１０】
2008278986.tif 000012
【図１１】
2008278986.tif 000013
【図１２】
2008278986.tif 000014
【図１３】
2008278986.tif 000015